(57)【要約】【課題】お灸の艾の点火は、従来マッチやライターで行っていたが正確に艾に点火することは難しくまた危険でもあった。また、頭部、後部首筋及び脹脛等への施灸はさらに困難で、背中等に対しては第三者に頼らなければならなかった。本発明は、安全かつ確実に艾に着火することができ、背中へのお灸も自分だけでできるようにしたお灸点火装置を提供する。【解決手段】手で把持する握柄にスイッチを、またその延長上の軸管の先端を直角に曲げその外端にフィラメントを設け、フィラメントの発熱によって艾に点火させる。また、軸管を撓むようにしまた小鏡を取り付けることによって、別の固定鏡に映しながら発熱体と艾の位置を確認しながら点火するようにして、艾を据えた皮膚周辺部の火傷などの危険性を解消するようにした。【選択図】図１
2006081631.tif 000002
【特許請求の範囲】
【請求項１】
お灸の艾に点火を行う点火装置であって、手で把持する握柄、該握柄の延長上に設けた固定軸管、該固定軸管の先端を直角に曲げその外端に設けた発熱体取付部、該発熱体取付部に装着したフィラメント等の発熱体、該握柄内の中空部に設けた電池収納部、該電池収納部に挿入した電池を収納固定する電池収納カバー、該握柄の近傍に設けたスイッチ、及び、該固定軸管の中空部を通って発熱体に通電する被覆導線から構成されることを特徴とするお灸点火装置。
【請求項２】
上記固定軸管は、可撓性の可撓軸管と交換自在であることを特徴とする請求項１に記載のお灸点火装置。
【請求項３】
上記固定軸管又は可撓軸管上にボールジョイントを備えたボールジョイント取付金具を設け、該ボールジョイントに鏡取付台を固着し、該鏡取付台に小鏡を取り付けたことを特徴とする請求項１又は２のいずれかに記載のお灸点火装置。
【請求項４】
上記発熱体取付部に発熱体を取替え自在に取り付けたことを特徴とする請求項１ないし３のいずれかに記載のお灸点火装置。
【請求項５】
上記請求項１ないし４のいずれかに記載のお灸点火装置を用いて、艾の頂部に当該装置の発熱体を当接し着火して施灸を行うことを特徴とするお灸点火方法。
【発明の詳細な説明】
【技術分野】
【０００１】
本発明は、お灸のために艾（もぐさ）に点火する装置にかかり、安全でかつ容易に艾に点火することができ、また他人の手を煩わさずに背中などの部位にもお灸をすえることができるお灸点火装置に関するものである。
【背景技術】
【０００２】
従来は施灸のために艾に点火する際、人体のツボなどの局部に据えた艾の頂部にマッチ又はライターによって点火していた。
【０００３】
また、一方の先端を凹状部とし、該凹状部の一部に形成された艾挟み込み用切込部に艾を挟み込みライターで艾に点火する点火具があった（例えば、特許文献１参照）。
【０００４】
お灸効果を上げるためにはお灸の前にツボをバイブレータで解すのがよいとされており、一端にバイブレータを他端に点火具を設けた携帯用ライター付きバイブレータ点火具などがあった（例えば、特許文献２参照）。
【特許文献１】特開平９−３８１７２
【特許文献２】特開２００１−１０４４２７
【発明の開示】
【発明が解決しようとする課題】
【０００５】
従来、お灸に点火する際は、艾にマッチ又はライターで火をつけていたが、艾に点火する際手の微妙な震えやかすかな風によって炎が揺らぎ正確に艾の頂部に点火することが難しく、ときには艾を据えた皮膚の周囲に炎症を起こさせるようなことがあった。
【０００６】
頭部、後部首筋及び脹脛等に対して施灸をする場合は、マッチやライターの炎の方向を正確に艾の頂部に位置を合わせ着火させることはきわめて難しくまた危険を伴うものであった。
【０００７】
背部の縦方向の中心である脊椎上部面脊背にはツボとして大椎、陶道、身柱等があり、首、肩のこり、目の疲れには施灸が効果のあることが判明している。しかし、これらの局所に点火するには第三者の手を借りざるをえなかった。
【０００８】
本発明はこれまでの上記欠点をなくすために、電池を用いてフィラメントを発熱させお灸をすえるようにしたもので、フィラメントを艾の頂部に軽く押付けるだけで艾に点火することができる。本発明の装置を用いることにより、マッチやライターによる着火のさまざまな危険性を解消するとともに、頭部、後部首筋や脹脛等の難しい部位への点火作業を容易にすることができる。
【０００９】
また、本人だけで点火することができない脊背などの部位に対しても、本発明の可撓軸管に小鏡を設けることにより、他人の手を煩わさずに簡単に点火をすることができる。
【課題を解決するための手段】
【００１０】
本発明のお灸点火装置１は、手で把持する握柄２、該握柄２の延長上に設けた固定軸管３、該固定軸管３の先端を直角に曲げその外端に設けた発熱体取付部４、該発熱体取付部４に装着したフィラメント５等の発熱体、該握柄２内の中空部に設けた電池収納部９、電池８を挿入して収納固定する電池収納カバー１０、握柄２と軸管との近辺に取り付けたスイッチ６、及び、該固定軸管３の中空部を通って発熱体取付部４に通電する被覆導線から構成される。
【００１１】
握柄２の中空部の電池収納部９に電池８を挿入し、握柄２の前方にスイッチ６設け、該スイッチ６は常時はオフ状態であるが指で押圧するとオン状態となり、固定軸管３の中空部を通っている被覆導線よりフィラメント５に通電し発熱する。スイッチ６から指を離すとスイッチ６はオフ状態となり、電池８からの電力は断たれ発熱が停止する（図１、図２）。
【００１２】
握柄２を動かして軸管外端の発熱体であるフィラメント５の位置決めを行い、スイッチ６をオン状態にしてフィラメント５に通電して発熱させ、艾７の頂部に該フィラメント５を軽く当接し点火する。発熱体はフィラメント５のコイル部のみであるため、マッチやライターなどのように炎は発生せず、艾７を据えた皮膚周囲部への影響は全くない。
【００１３】
頭部、後部首筋及び脹脛１３などへのお灸で点火操作が難しいような場合には、上記固定軸管３に代えて可撓軸管１１を用いる。該可撓軸管１１は上下左右、全方向に撓むことができるので、可撓軸管１１を撓めて調整しフィラメント５が部位に据えた艾７の頂部に水平に当接できるようにして点火をする。
【００１４】
固定軸管３又は可撓軸管１１上の発熱体取付部４の近辺にボールジョイント取付金具１５を設け、該ボールジョイント取付金具１５にはボールジョイント１６に固着した鏡取付台１４を介して小鏡１２を取り付ける。脊背部１８等に据えた艾７に点火するような場合には、小鏡１２はボールジョイント１６を軸に自在に可動できるので可撓軸管１１を撓めて小鏡１２を整合し、固定鏡１７によって艾７の位置を確認することによって、一人で艾７にフィラメント５を当接させて点火をすることができる。
【発明の効果】
【００１５】
施灸のために艾に点火する場合、これまで艾の頂部にマッチやライター等によって点火していたが、マッチやライターは炎が発生するため艾を据えた皮膚の周囲に炎症を起こす危険性があった。しかし、本発明は電池を用い発熱体としてフィラメントをもちいたため、艾のフィラメントとの当接部分にのみ着火させることができ、安全でかつ確実な点火作動をさせることができる。
【００１６】
フィラメントを取り付けた軸管を可撓性にすることにより、軸管を自在に撓わませ調整して点火できるので、頭部、後部首筋や脹脛等に据えた艾に対しても、容易にお灸をすえることができる。
【００１７】
お灸をすえる位置が背部の縦方向の中心である脊背では、本人自身で艾に点火することはきわめて難しく第三者に頼まなければならなかった。しかし、本発明の可撓軸管に小鏡を取り付けることにより、小鏡を通してフィラメント部を見ながら艾の位置を見定めて点火を行えるので、他人の手を煩わさずに自分だけで施灸を行うことができる。
【発明を実施するための最良の形態】
【００１８】
従来、施灸のために艾７へ点火する方法としては、マッチ又はライター等で行っていたが、これらは炎が発生するので手や体の微少な震えやわずかな風等により的確に艾７の頂部に炎を合わせて点火することは難しく、艾７を据えた皮膚の周囲に炎症を発生させる危険性があった。
【００１９】
また、頭部、後部首筋及び脹脛１３等に施灸する場合は、マッチやライターでは炎の方向を正確に艾７の点火位置に合わせることは難しく、また脊背部１８などに対しては自分で点火するのはきわめて難しく、他人に手伝ってもらうしか方法はなかった。
【００２０】
本発明のお灸点火装置１は、これらの不具合や不便を解決すべく、手で把持する握柄２、該握柄２の延長上に設けた固定軸管３、該固定軸管３の先端を直角に曲げその外端に設けた発熱体取付部４、該発熱体取付部４に装着したフィラメント５を主要部としている（図１）。
【００２１】
握柄２は中空状でその内部に電池収納部９を設け、該電池収納部９の電池８挿入口に電池収納カバー１０を取り付けて電池８を収納固定する。電池収納部９の内部側に２線の被覆導線を配備し、握柄２と固定軸管３との近辺に設けたスイッチ６、電池８、発熱体に結線している（図１、図２）。
【００２２】
スイッチ６は、常時はオフ状態でバネ等で外方に突出しており、指で押圧するとオン状態となって固定軸管３の中空部に配備された被覆導線によりフィラメント５に通電し発熱させる。スイッチ６から指を離すと電池８からの電力は断たれ発熱が停止する。なお、スイッチ６は握柄２の上面または下面に設けるとよい（図１、図２）。
【００２３】
頭部、後部首筋及び脹脛１３等へのお灸のように点火操作が難しい部位に対しては、上記固定軸管３に代えて可撓軸管１１を用いる。この可撓軸管１１は全方向に撓めることができるので、脹脛１３等に据えた艾７の頂部にフィラメント５が水平に当接するように可撓軸管１１を撓めて調整し点火をさせる。可撓軸管１１も固定軸管３と同様に管内は中空になっており、その中に配線された被覆導線によりスイッチ６を介して電池８とフィラメント５とに導通している（図３、図４）。
【００２４】
可撓軸管１１の発熱体取付部４に近いところにボールジョイント取付金具１５を取り付け、ボールジョイント取付金具１５にボールジョイント１６を取り付け、該ボールジョイント１６のボール部には小鏡１２を嵌着するための鏡取付台１４を設ける。このボールジョイント１６により小鏡１２は自在に回動できるので、この小鏡１２に艾７を映すことによって艾７の位置を容易に確認することができる（図５、図６）。
【００２５】
外部に固定鏡１７を置き、そこに小鏡１２を映して艾７の位置を確認し、艾７の頂部に正確に点火してお灸をすえることができる（図７）。従来、脊背部１８等に据えた艾７への点火は、他人の手を煩わさなければ困難であったが、二つの鏡を利用することにより自分自身でお灸をすることができる。
【００２６】
このように脊背部１８等に据えられ艾７に点火する場合は、艾７の位置とフィラメント５の位置をＸ方向に小鏡１２に映し、その映像をＹ方向に固定鏡１７に映し、Ｚ方向から目視してその位置を確認しながら可撓軸管１１と小鏡１２の位置や方向の微調整を行い、位置合わせを確定させてスイッチ６を押して点火する（図７）。
【００２７】
また、握柄２と軸管類の接続部には、握柄２側に接続プラグオス１９を他方の固定軸管３又は可撓軸管１１側に接続プラグメス２０を設けるようにしてもよい。握柄２と軸管類の接続部に接続プラグを設けることにより、固定軸管３と可撓軸管１１を任意に選択して握柄２に装着することができる（図８）。
【実施例１】
【００２８】
全長１５０ｍｍ、固定軸管長９０ｍｍの固定軸管、電池は単３（１．５Ｖ）×２、フィラメントの直径０．２ｍｍ×８巻を装着したお灸点火装置を用いて点火試験を実施した。胸部、腹部、肩部前面の１５箇所に艾を据え、艾の天辺に本装置により点火したが、皮膚に接触することなく安全で確実に艾に着火することができた。
【実施例２】
【００２９】
全長２００ｍｍ、可撓軸管長１４０ｍｍの可撓軸管、電池が単３（１．５Ｖ）×２、フィラメントの直径０．２ｍｍ×８巻を装着したお灸点火装置を用いて点火試験を実施した。後部首筋、脹脛の８箇所に据えた艾に対し、軸管を撓めて艾の頂に水平に当接して点火したところ、比較的容易にお灸を施すことができた。
【実施例３】
【００３０】
全長３００ｍｍ、可撓軸管長２４０ｍｍの可撓軸管に発熱体取付部より３０ｍｍの箇所にボールジョイントを設け、幅１００ｍｍ、高さ８０ｍｍの小鏡をボールジョイントに溶着した小鏡取付台に嵌着したお灸点火装置を用いて点火試験を実施した。脊背部の艾６箇所に艾を据え、固定鏡を置き可撓軸管を撓めて調整し、固定鏡を見ながら小鏡を動かしそこに映った艾の位置を確かめつつフィラメントを艾に軽く押圧して着火させた。自分だけで充分に点火作業が可能であることを確認することができた。
【図面の簡単な説明】
【００３１】
【図１】固定軸管を用いたお灸点火装置
【図２】図１のＡ−Ａ断面図
【図３】可撓軸管を用いたお灸点火装置
【図４】可撓軸管型のお灸点火装置を用いた脹脛部のお灸点火状態図
【図５】小鏡付可撓軸管を用いたお灸点火装置
【図６】図５のＢ部拡大図
【図７】小鏡付可撓軸管型のお灸点火装置を用いた脊背部のお灸点火状態図
【図８】固定軸管、可撓軸管、小鏡付可撓軸管の交換状態図
【符号の説明】
【００３２】
１    お灸点火装置
２    握柄
３    固定軸管
４    発熱体取付部
５    フィラメント
６    スイッチ
７    艾
８    電池
９    電池収納部
１０    電池収納カバー
１１    可撓軸管
１２    小鏡
１３    脹脛
１４    鏡取付台
１５    ボールジョイント取付金具
１６    ボールジョイント
１７    固定鏡
１８    脊背部
１９    接続プラグオス
２０    接続プラグメス
【図１】
2006081631.tif 000003
【図２】
2006081631.tif 000004
【図３】
2006081631.tif 000005
【図４】
2006081631.tif 000006
【図５】
2006081631.tif 000007
【図６】
2006081631.tif 000008
【図７】
2006081631.tif 000009
【図８】
2006081631.tif 000010